(57)【要約】【課題】新着予約を効率的に管理するための予約システムを提供することを解決すべき課題とする。【解決手段】施設における時間指定を伴った予約の管理を行う予約システムであって、ユーザによる予約日時の指定を伴った予約を受け付け、予約の受付日時を対応付けた予約情報として記録する受付手段と、前記予約情報を管理する為の施設端末において管理画面を表示する為に、前記予約情報に基づいて予約内容を表示処理し、表示要求に応じて表示処理結果を送信する表示手段と、前記予約情報に関する操作処理を受け付ける変更手段と、を備え、前記表示処理は、操作要求に応じて前記管理画面で遷移可能な複数の画面中において、共通して表示される速報表示の表示処理を含み、前記操作処理は、予約の取り消し要求を受け付け、予約を取り消し扱いとする処理と、前記施設端末から前記管理画面を介して、予約の確認済みフラグの設定を受け付ける処理と、を含むことを特徴とする。【選択図】図１
2019102051.tif 000002
【特許請求の範囲】
【請求項１】
施設における時間指定を伴った予約の管理を行う予約システムであって、
ユーザによる予約日時の指定を伴った予約を受け付け、予約の受付日時を対応付けた予約情報として記録する受付手段と、
前記予約情報を管理する為の施設端末において管理画面を表示する為に、前記予約情報に基づいて予約内容を表示処理し、表示要求に応じて表示処理結果を送信する表示手段と、
前記予約情報に関する操作処理を受け付ける変更手段と、を備え、
前記表示処理は、操作要求に応じて前記管理画面で遷移可能な複数の画面中において、共通して表示される速報表示の表示処理を含み、
前記操作処理は、予約の取り消し要求を受け付け、予約を取り消し扱いとする処理と、前記施設端末から前記管理画面を介して、予約の確認済みフラグの設定を受け付ける処理と、を含み、
前記速報表示は、取り消し扱いとなっていない予約についての件数と、取り消し扱いとなった予約についての件数と、を含み、
前記件数の算出に用いられる取り消し扱いとなった予約は、予約日時が当日であって、確認済みフラグが設定されていない予約のみからなることを特徴とする予約システム。
【請求項２】
前記表示処理は、予約日時が当日の予約情報を用いた表示処理及び、予約日時が翌日以降の予約情報を用いた表示処理を含むことを特徴とする請求項１に記載の予約システム。
【請求項３】
前記件数の算出に用いられる、予約日時が翌日以降であって、取り消し扱いとなっていない予約は、確認済みフラグが設定されていない予約のみからなることを特徴とする請求項１または２に記載の予約システム。
【請求項４】
施設における時間指定を伴った予約の管理を行う管理方法であって、
コンピュータが、ユーザによる予約日時の指定を伴った予約を受け付け、予約の受付日時を対応付けた予約情報として記録するステップと、
前記予約情報を管理する為の施設端末において管理画面を表示する為に、前記予約情報に基づいて予約内容を表示処理し、表示要求に応じて表示処理結果を送信するステップと、
前記予約情報に関する操作処理を受け付けるステップと、を実行し、
前記表示処理は、操作要求に応じて前記管理画面で遷移可能な複数の画面中において、共通して表示される速報表示の表示処理を含み、
前記操作処理は、予約の取り消し要求を受け付け、予約を取り消し扱いとする処理と、前記施設端末から前記管理画面を介して、予約の確認済みフラグの設定を受け付ける処理と、を含み、
前記速報表示は、取り消し扱いとなっていない予約についての件数と、取り消し扱いとなった予約についての件数と、を含み、
前記件数の算出に用いられる取り消し扱いとなった予約は、予約日時が当日であって、確認済みフラグが設定されていない予約のみからなることを特徴とする管理方法。
【請求項５】
施設における時間指定を伴った予約の管理を行う予約プログラムであって、
コンピュータを、ユーザによる予約日時の指定を伴った予約を受け付け、予約の受付日時を対応付けた予約情報として記録する受付手段と、
前記予約情報を管理する為の施設端末において管理画面を表示する為に、前記予約情報に基づいて予約内容を表示処理し、表示要求に応じて表示処理結果を送信する表示手段と、
前記予約情報に関する操作処理を受け付ける変更手段として機能させ、
前記表示処理は、操作要求に応じて前記管理画面で遷移可能な複数の画面中において、共通して表示される速報表示の表示処理を含み、
前記操作処理は、予約の取り消し要求を受け付け、予約を取り消し扱いとする処理と、前記施設端末から前記管理画面を介して、予約の確認済みフラグの設定を受け付ける処理と、を含み、
前記速報表示は、取り消し扱いとなっていない予約についての件数と、取り消し扱いとなった予約についての件数と、を含み、
前記件数の算出に用いられる取り消し扱いとなった予約は、予約日時が当日であって、確認済みフラグが設定されていない予約のみからなることを特徴とする予約プログラム。
【発明の詳細な説明】
【技術分野】
【０００１】
本発明は、施設等において、ユーザの予約を管理する為の予約システム、管理方法および予約プログラムに関する。
【背景技術】
【０００２】
従来から、飲食店、携帯電話ショップ等の窓口業務を行う店舗、理容所・美容院、病院等の施設において、サービス提供までのユーザの順番待ち予約や、時間指定を伴った予約を管理する為の技術が提供されている。
【０００３】
例えば、飲食店等において、店舗側が予め予約用紙を用意しておき、順番待ちを行う顧客に代表者の名前と人数を記入させ、ユーザの順番待ち予約の管理を行う方法が知られている（特許文献１）。
【０００４】
また、予約の順番待ちの入力を受け付ける順番管理端末と、順番管理端末に通信ネットワークを介して接続され、順番管理端末から送信される予約の順番待ちの入力に基づいて、施設における順番待ち組のステータス情報の更新を行う管理サーバと、を備え、順番管理端末は、管理モードの設定指示を入力する入力部と、入力される前記管理モードの設定指示に従って、予約の順番待ちの入力を受け付ける第１モードと、予約の順番待ちの入力およびステータス情報の更新指示を受け付ける第２モードとの間でモード切換を行う切換制御部と、第２のモードに設定されている場合に、新規の予約の順番待ちの入力が受け付けられた際、新規の順番待ちが発生したことを通知する、新着情報通知部と、を具備し、施設における予約の順番待ちを管理する順番管理システムに関する技術が知られている（特許文献２）。
【先行技術文献】
【特許文献】
【０００５】
【特許文献１】特開２００４−９４３８０号公報
【特許文献２】特開２０１７−６８４５７号公報
【発明の概要】
【発明が解決しようとする課題】
【０００６】
しかしながら、新たな予約等を受け付けた際に、単に新着情報の有無のみを通知するのでは、予約内容に関する情報共有や、引継ぎなどが効率的に実施されない場合があった。
【０００７】
また、特に、来訪したユーザを順番待ち受付によって個別に管理し、オペレーションなどを行う施設においては、時間指定を伴った順番待ち予約を受け付けた場合に、それらを効率的に管理する方法が求められていた。
【０００８】
本発明は、上記のような実状に鑑みてなされたものであり、時間指定を伴った順番待ち予約において、新着予約を効率的に管理するための予約システムを提供することを解決すべき課題とする。
【課題を解決するための手段】
【０００９】
上記課題を解決するために、本発明は、施設における時間指定を伴った順番待ち予約の管理を行う予約システムであって、
ユーザによる予約日時の指定を伴った予約を受け付け、予約の受付日時を対応付けた予約情報として記録する受付手段と、
前記予約情報を管理する為の施設端末において管理画面を表示する為に、前記予約情報に基づいて予約内容を表示処理し、表示要求に応じて表示処理結果を送信する表示手段と、を備え、
前記表示処理は、予約日時が当日の予約情報を用いた表示処理及び、予約日時が翌日以降の予約情報を用いた表示処理を含むことを特徴とする。
【００１０】
このような構成とすることで、予約日時が当日の予約と、予約日時が翌日以降の予約情報と、を用いた表示処理を行うことができ、時間指定を伴った順番待ち予約を、より効率的に運用することが可能となる。
【００１１】
本発明の好ましい形態では、前記表示処理は、予約情報に基づいて複数の形式で新着予約の一覧を表示させる処理を含み、
前記一覧は、予約日時が当日の予約を受付日時順に並べた新着一覧及び、予約日時が翌日以降の予約を受付日時順に並べた新着一覧を含むことを特徴とする。
このような構成とすることで、予約日時が当日の予約について、受付日順に予約を並べた新着一覧及び、予約日時が翌日以降の予約について、受付日順に予約を並べた新着一覧について表示処理を行うことができ、時間指定を伴った順番待ち予約を、より効率的に運用することが可能となる。
【００１２】
本発明の好ましい形態では、前記予約情報に関する操作処理を受け付ける変更手段を備え、
前記操作処理は、ユーザからの予約の取り消し要求を受け付け、予約を取り消し扱いとする処理を含み、
前記新着一覧に並べられた取り消し扱いとなった予約は、取り消し扱いとなっていない予約と識別可能に表示され、取り消し扱いとなっていない予約と共に受付日時順に連続して並べられた、予約日時が当日の取り消し扱いとなった予約のみからなることを特徴とする。
このような構成とすることで、取り消し扱いとなった予約（キャンセルされた予約）についても、受付日時順に表示された新着一覧に含め、キャンセル扱いとなっていない予約と共に並べて確認することが可能となる。
【００１３】
本発明の好ましい形態では、前記予約情報に関する操作処理を受け付ける変更手段を備え、
前記操作処理は、予約の取り消し要求を受け付け、予約を取り消し扱いとする処理と、前記施設端末から前記管理画面を介して、予約の確認済みフラグの設定を受け付ける処理と、を含み、
予約日時が翌日以降の予約を受付日時順に並べた前記新着一覧において並べられ、確認済みフラグが設定された取り消し扱いとなっていない予約は、受付日時が当日の予約のみからなることを特徴とする。
このような構成とすることで、翌日以降の予約の新着一覧において、受付日時が当日のものに制限し、新着一覧をより見やすい形で提供することができる。
【００１４】
本発明の好ましい形態では、前記予約情報に関する操作処理を受け付ける変更手段を備え、
前記操作処理は、予約の取り消し要求を受け付け、予約を取り消し扱いとする処理と、前記施設端末から前記管理画面を介して、予約の確認済みフラグの設定を受け付ける処理と、を含み、
前記表示手段は、操作要求に応じて前記管理画面で遷移可能な複数の画面中において、共通して表示される速報表示を表示処理し、
前記速報表示は、取り消し扱いとなっていない予約についての件数と、取り消し扱いとなった予約についての件数と、を含み、
前記件数の算出に用いられる取り消し扱いとなった予約は、予約日時が当日であって、確認済みフラグが設定されていない予約のみからなることを特徴とする。
このような構成とすることで、取り消し扱いとなった予約の速報表示を、予約日時が当日のものに制限し、より見やすい形で提供することができる。
【００１５】
本発明の好ましい形態では、前記件数の算出に用いられる、予約日時が翌日以降であって、取り消し扱いとなっていない予約は、確認済みフラグが設定されていない予約のみからなることを特徴とする。
このような構成とすることで、予約日時が翌日以降であって、取り消し扱いとなっていない予約の速報表示を、より見やすい形で提供することができる。
【００１６】
本発明は、施設における時間指定を伴った順番待ち予約の管理を行う管理方法であって、
ユーザによる予約日時の指定を伴った予約を受け付け、予約の受付日時を対応付けた予約情報として記録するステップと、
前記予約情報を管理する為の施設端末において管理画面を表示する為に、前記予約情報に基づいて予約内容を表示処理し、表示要求に応じて表示処理結果を送信するステップと、を備え、
前記表示処理は、予約日時が当日の予約情報を用いた表示処理及び、予約日時が翌日以降の予約情報を用いた表示処理を含むことを特徴とする。
【００１７】
本発明は、施設における時間指定を伴った順番待ち予約の管理を行う予約プログラムであって、
コンピュータを、ユーザによる予約日時の指定を伴った予約を受け付け、予約の受付日時を対応付けた予約情報として記録する受付手段と、
前記予約情報を管理する為の施設端末において管理画面を表示する為に、前記予約情報に基づいて予約内容を表示処理し、表示要求に応じて表示処理結果を送信する表示手段と、として機能させ、
前記表示処理は、予約日時が当日の予約情報を用いた表示処理及び、予約日時が翌日以降の予約情報を用いた表示処理を含むことを特徴とする。
【発明の効果】
【００１８】
本発明によれば、時間指定を伴った順番待ち予約において、新着予約を効率的に管理するための予約システムを提供することができる。
【図面の簡単な説明】
【００１９】
【図１】本発明の実施形態に係る予約システムの機能ブロック図である。
【図２】本発明の実施形態に係る予約サーバのハードウェア構成図である。
【図３】本発明の実施形態に係る予約情報の一例を示す図である。
【図４】本発明の実施形態に係る受付画面の画面表示例である。
【図５】本発明の実施形態に係る受付画面を介して予約を受け付ける際の処理フローチャートである。
【図６】本発明の実施形態に係る店舗端末における管理画面の画面表示例である。
【図７】本発明の実施形態に係る店舗端末における管理画面の画面表示例である。
【図８】本発明の実施形態に係る新着一覧及び速報表示の表示条件を示す図である。
【図９】本発明の実施形態に係る新着一覧の表示条件に関するフローチャートである。
【図１０】本発明の実施形態に係る速報表示の表示条件に関するフローチャートである。
【発明を実施するための形態】
【００２０】
以下、図面を用いて、本発明に関する予約システムについて説明する。なお、以下に示す実施形態は本発明の一例であり、本発明を以下の実施形態に限定するものではなく、様々な構成を採用することもできる。
【００２１】
例えば、本実施形態では予約システムの構成、動作等について説明するが、同様の構成の方法、サーバ装置、コンピュータプログラム、記録媒体等も、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２２】
本実施形態では、飲食店の利用に際して、ユーザ（顧客）からの予約受付を行う場合について例示する。なお、本発明は、店舗、商業施設、公共施設、ゲームセンターや体験型アトラクションを提供するアミューズメント施設等の種々の施設において、ユーザからの予約を受け付ける場合に利用することが可能であり、利用される施設やサービスの形態には、特に制限はない。
【００２３】
本実施形態において、予約とは、ユーザが予め申し込みを行い、サービスの提供を予約するための処理を示す。予約を行ったユーザは、サービスの提供の時刻又は順番の少なくとも一方について、目安となる回答を得る。本例では、ユーザが順番待ち予約を行うことで順番待ちに参加し、順番が回ってきた際に、サービスの提供を受ける形式で、予約を受け付ける。本例における順番待ち予約は、ユーザが順番の最後尾に並び、順番が回ってきた際に、サービスの提供を受ける形式（以下、「通常の順番待ち予約」とする）及び、ユーザが当日又は翌日以降の未来の予約日時の指定を伴って順番に参加し、ユーザが指定した日時に、行列の先頭等の所定の順番にユーザが並ぶように順番を調整し、順番が回ってきた際に、サービスの提供を受ける時間指定を伴った順番待ち予約の形式（以下、「順番待ちの時間指定予約」とする）を含む。
【００２４】
ユーザが順番の最後尾に並び順番待ちに参加する場合、予約完了後、ユーザに割り当てられた番号（案内番号）が提示される。順番待ちの時間指定予約の場合には、ユーザが指定した日時が予約時間となる。ユーザは、この番号もしくは予約時間（予約日時）に基づいて、店舗に赴き、サービスの提供を受ける。順番の最後尾に並ぶ通常の順番待ち予約の形式で順番待ちに参加する場合、ユーザに割り当てられた番号に替えて、又は加えて、先に順番待ち予約を行っている人数又はグループ数、サービスの提供を行う為のスタッフや座席、窓口等のサービス提供要素数、予め設定された１顧客（１グループ）当たりのサービス提供時間等に基づいて、案内予定時間を算出し、ユーザに提示する構成としてもよい。
【００２５】
店舗に赴いたユーザは、自身の順番が回ってきた際に、店舗のスタッフ（従業員）や機械音声によって呼び出される。そして、その後、スタッフに案内されて座席やカウンターに移動して、現実のサービス提供を受ける。順番待ちの時間指定予約の形式で順番待ちに参加する場合には、予約時間（予約日時）の一定時間前等、所定のタイミングにて通常の順番待ちの順番に参加し、指定した時間に順番の先頭に並ぶように必要に応じて順番を調整される。
【００２６】
図１は、本発明の実施形態における予約システムの概要を示す機能ブロック図である。予約システム１は、予約サーバ２と、予約に関する情報を記憶したデータベースＤＢと、飲食店の店舗に設置され、予約の受付に利用される受付端末２０と、受付端末２０からの要求に基づいて、受付端末２０で予約を行ったユーザに対して順番待ちの案内番号（受付番号、呼出番号）や待ち時間を印字した印刷物を提供する為のプリンタ３０と、ユーザが操作するユーザ端末４０と、店舗のスタッフが操作する店舗端末５０（施設端末）と、を備えている。
【００２７】
予約サーバ２並びに受付端末２０、ユーザ端末４０及び店舗端末５０（施設端末）は、ネットワークＮＷを介して通信可能に構成されている。受付端末２０及びプリンタ３０は、有線又は無線によって、通信可能に構成されている。
【００２８】
図２は、予約サーバ２のハードウェア構成を示す図である。予約サーバ２は、演算装置（ＣＰＵ２０１）と、主記憶装置（ＲＡＭ２０２）と、ＨＤＤやＳＳＤ、フラッシュメモリ等の補助記憶装置（記録装置２０３）と、外部の装置とネットワークＮＷを介して通信を行うためのインタフェースである通信装置２０４と、入力装置２０５と、出力装置２０６と、を備えている。また、記録装置２０３は、オペレーティングシステム２０７と、オペレーティングシステム２０７と協調してその機能を発揮する予約プログラム２０８等が記録されている。
【００２９】
受付端末２０、ユーザ端末４０、店舗端末５０（施設端末）は、ＣＰＵ等の演算装置、ＲＡＭ等の主記憶装置、ＨＤＤやＳＳＤ、フラッシュメモリ等の補助記憶装置、ネットワークＮＷへの接続手段を含む各種の入出力装置等を備えた、パーソナルコンピュータ、スマートフォン、タブレット端末等の汎用的なコンピュータ装置を用いることができる。受付端末２０は表示部を兼ねた入力部２１（タッチパネル）を備え、ユーザ端末４０は入力部４１と表示部（図示せず）を備え、店舗端末５０（施設端末）は入力部５１と表示部（図示せず）を備えている。
【００３０】
受付端末２０は、予約用のウェブページを利用する為のウェブブラウザアプリケーションを記憶している。受付端末２０は、ウェブブラウザアプリケーションに替えて、又は加えて、店舗の予約を行う為の予約アプリケーションを記憶していても構わない。
【００３１】
プリンタ３０は、受付端末２０と有線又は無線によって接続されており、受付端末２０からの印刷要求に基づいて、発券部３１での紙面への印刷を行う。
【００３２】
ユーザ端末４０は、予約用のウェブページを利用する為のウェブブラウザアプリケーションを記憶している。ユーザ端末４０は、ウェブブラウザアプリケーションに替えて、又は加えて、店舗の予約を行う為の予約アプリケーションを記憶していても構わない。
【００３３】
ユーザは、受付端末２０やユーザ端末４０を介して、予約情報の登録や変更等を行う。予約情報の変更とは、例えば、ユーザによる予約の自発的なキャンセル（取り消し）、即ちユーザキャンセルを含む。ユーザは、ある端末（例えば、受付端末２０やユーザ端末４０）を介して登録された予約情報に対して、予約を行った端末とは異なる別の端末を介して、予約情報の変更等が可能であってもよい。
【００３４】
店舗端末５０は、管理用のウェブページを利用する為のウェブブラウザアプリケーションを記憶している。店舗端末５０は、ウェブブラウザアプリケーションに替えて、又は加えて、店舗の管理を行う為の管理アプリケーションを記憶していても構わない。
【００３５】
スタッフは、店舗端末５０を介して、予約の確認や管理、予約情報の登録、変更等を行う。予約情報の変更とは、例えば、スタッフによる予約のキャンセル（取り消し）、即ちスタッフキャンセルを含む。スタッフは、受付端末２０や店舗端末５０を操作して、ユーザの代わりに予約に関する情報の入力を行ってもよい。
【００３６】
本実施形態では、順番待ち予約として、受付端末２０からは、通常の順番待ち予約を受けつけ、ユーザ端末４０からは、通常の順番待ち予約及び順番待ちの時間指定予約にて、順番待ち予約を受け付ける。なお、ユーザ端末４０に替えて、または加えて、受付端末２０や店舗端末５０の少なくとも一方から、順番待ちの時間指定予約を受け付ける構成としてもかまわない。
【００３７】
ユーザ端末４０を介した事前の予約なしに店頭に来訪したユーザは、すでに順番待ちを行っているユーザの有無にかかわらず、受付端末２０で通常の順番待ち予約の受け付けを行い（通常の順番待ち予約）、サービス提供を受ける。あるいは、店頭における受付端末２０を介した受け付けは、ユーザに代わって、スタッフが行っても構わない。
【００３８】
予約システム１は、受付端末２０、プリンタ３０、ユーザ端末４０及び店舗端末５０を、それぞれ、１又は複数台備えている。また、受付端末２０、プリンタ３０及び店舗端末５０は、必ずしも店舗ごとに１台である必要はなく、１店舗に対して、複数台が利用されてもよい。また、受付端末２０から管理用のウェブページを利用可能にする等して、受付端末２０が店舗端末５０を兼ねるような構成としてもよい。
【００３９】
予約サーバ２は、受付手段３と、変更手段４と、表示手段５と、を備えている。ここで、本実施形態において予約サーバ２に含まれる機能構成を実現する為の各処理手段は、必ずしも１台のサーバ装置に含まれる必要はなく、複数のコンピュータに備えられた構成であってもよい。例えば、受付手段３、変更手段４を備え、ユーザ端末４０等から受け付けた予約の登録や変更、予約画面の設定等を行う為のサーバ装置と、表示手段５を備え、受付端末２０やユーザ端末４０、店舗端末５０からの表示要求に応じて、所定の画面を表示処理するサーバ装置と、によって予約システム１が構成されてもよい。
【００４０】
データベースＤＢは、予約システム１で利用される情報を記憶している。本実施形態では、データベースＤＢは、予約情報と、その他、ユーザ端末４０を介して予約を行うユーザのユーザ情報や、店舗情報等を有している。
【００４１】
図３は、本実施形態における予約情報の一例を示す図である。図示例に示すように、予約情報のレコードは、予約の受付ＩＤと、予約を行ったユーザのユーザＩＤと、予約された店舗の店舗ＩＤと、予約を受け付けた日時を示す受付日時と、予約された日時（受付日時に対して、当日又は翌日以降の未来の日時）を示す予約日時と、予約の人数と、予約された商品内容・サービス内容、サービス提供要素等を示す予約の待ち項目と、電話番号と、予約ステータス（「案内前」、「案内済」、「不在」、「キャンセル（ユーザキャンセル、スタッフキャンセル、無断キャンセル、等）」）を示す予約状況と、受付端末２０やユーザ端末４０等、予約が行われた端末（予約の経路）を示す予約経路と、店舗にてユーザの呼出等に利用される受付番号と、を有する。
【００４２】
受付手段３は、ユーザからの予約に関する入力を受け付け、予約情報としてデータベースＤＢに記憶する。また、受付手段３は、受付時に、受付端末２０に表示された質問画面を介してユーザによる入力を受け付け、入力された情報（例えば、図３における人数や待ち項目、電話番号、等）を含む予約情報を記録する。予約は、その他、ＩＶＲ（Interactive Voice Response）システムを経由した電話受付や、ＡＰＩ（Application Programming Interface）を経由した外部サービス等、種々の経路より行われてよい。予約の経路は、予約経路として予約情報に記憶される。
【００４３】
予約情報には、予約の待ち項目が対応づけられていてもよい。本実施形態では、「テーブル」や「カウンター」といった、施設においてサービスを提供する為の要素に応じて、複数の待ち項目が設定されており、予約情報の受付時にユーザにより指定される。また、例えば、席の種類に替えて、又は加えて、「個別注文」、「コース」、「食べ放題」、「飲み放題」、「コース＋飲み放題」、「食べ放題＋飲み放題」といった、顧客が所望するサービスの内容に応じて、複数の待ち項目が設定されてよい。また、サービス提供要素と、サービス内容の組合せによって、待ち項目が設定されてもよい。待ち項目の設定の有無、並びに設定内容は、サービスの提供形態に応じて、適善選択することができる。
【００４４】
変更手段４は、登録された予約情報についての変更を受け付け、変更内容をデータベースＤＢに記憶する。予約情報の変更とは、例えば、ユーザ端末４０や店舗端末５０から行われるキャンセル（取り消し）、ステータスの変更、予約情報についての既読・未読の設定、予約日時や人数等の予約内容の変更、等である。本実施形態では、後述するように、スタッフが未確認の予約情報については未読に設定されており、スタッフが管理画面を介して予約内容を確認処理すると、当該予約情報に確認済みフラグ（既読フラグ）が対応付けられ、予約情報予約情報についての既読・未読の設定が行われる。
【００４５】
表示手段５は、予約の受付・管理等に際して、受付画面や管理画面等を表示する為に、画面を表示処理し、表示処理結果を送信する。本例では、店舗端末５０において予約の確認のために表示される管理画面を表示する為に、表示手段５は、管理画面を表示処理し、表示処理結果を店舗端末５０に送信する。また、受付端末２０やユーザ端末４０に、受付画面を表示する為に、表示手段５は、受付画面を表示処理し、表示処理結果を受付端末２０やユーザ端末４０に送信する。
【００４６】
図４は、受付画面の画面表示例である。図４（ａ）は、受付端末２０における受付画面の画面表示例である。本実施形態における受付端末２０は、店舗に赴いたユーザからの順番待ち予約の受付や、予約を行ったユーザの順番確認等に際して利用される。
【００４７】
受付画面Ｗ１は、受付ボタンＷ１１と、待ち項目表示部Ｗ１２（待ち項目表示部Ｗ１２Ａ及びＷ１２Ｂ）と、を備えている。待ち項目表示部Ｗ１２には、予約の待ち項目ごと（図示例では、「テーブル」及び「カウンター」）に、待ち時間並びに待ち組数が表示されている。ユーザが店舗に赴き、受付ボタンＷ１１を押下すると、表示手段５により表示処理された質問等を含んだ受付画面等が表示される。ユーザは、待ち項目の選択や、質問に対する入力を行い、順番待ち予約の受け付けを行う。
【００４８】
図４（ｂ）、図４（ｃ）は、ユーザ端末４０における受付画面の画面表示例である。本実施形態における受付端末２０は、ユーザからの通常の順番待ち予約の受け付けや、順番待ち予約の時間指定予約の受け付けに際して利用される。
【００４９】
図４（ｂ）に示すように、受付画面Ｗ２は、待ち情報表示部Ｗ２１と、通常の順番待ち予約を行うための予約ボタンＷ２２及び順番待ちの時間指定予約を行うための予約ボタンＷ２３と、を備えている。
【００５０】
図４（ｃ）は、予約ボタンＷ２３（順番待ちの時間指定予約を行うための予約ボタン）を押下した際に表示される予約内容の受付画面である。予約内容の受付画面Ｗ２は、内容入力部Ｗ２４と、進むボタンＷ２５と、を備えている。
【００５１】
順番待ちの時間指定予約を受け付ける場合、ユーザは、内容入力部Ｗ２４を介して所望する予定日時を含む予約内容に関する情報を入力する。図示例では、予約内容に関する情報は、予定日時に加え、禁煙／喫煙や、テーブル／カウンターといった席種の選択と、予約人数の入力と、を含む。なお、通常の順番待ち予約の場合は、予定日時の情報は含まれず、予約人数など、適用するサービスの形態に応じて、予約内容に関する情報が設定される。ユーザが予定日時を含む情報の入力をし、進むボタンＷ２５を押下することで、確認画面に進む。そして、予約の内容を確認後、順番待ち予約の受け付けを行う。
【００５２】
図５は、受付画面を介して予約を受け付ける際の処理フローチャートである。ステップＳ１において、受付端末２０、ユーザ端末４０、店舗端末５０等に、予約を受け付けるための受付画面が表示される。
【００５３】
ステップＳ２において、予約内容が通常の順番待ちの場合（ステップＳ２でＮｏ（Ｎ））、ステップＳ４に進む。予約内容が通常の順番待ちの場合とは、本例では、受付端末２０を介して予約を受け付ける場合や、ユーザ端末４０を介して、通常の順番待ちを選択され、予約を受け付ける場合などである。
【００５４】
ステップＳ２において、予約内容が順番待ちの時間指定予約の場合（ステップＳ２でＹｅｓ（Ｙ））、ステップＳ３に進み、入力画面において、予定日時の入力を行う。予約内容が順番待ちの時間指定予約の場合とは、本例では、ユーザ端末４０を介して順番待ちの時間指定予約を選択され、予約を受け付ける場合などである。
【００５５】
ステップＳ４では、予約日時以外の、その他の予約内容に関する情報の入力を受け付ける。本実施形態における受付画面では、予定日時に加え、禁煙／喫煙や、テーブル／カウンターといった席種の選択と、予約人数と、の入力を受け付ける。
【００５６】
予約に関するすべての情報が入力されたならば、確認画面を表示させる（ステップＳ５）。確認画面において、登録ボタンが押下されたならば（ステップＳ６）、受付手段３は、予約情報をデータベースＤＢに登録し、予約を受け付ける（ステップＳ７）。
【００５７】
受付端末２０やユーザ端末４０、店舗端末５０等を介して入力された情報に基づいて、受付手段３は、予約情報をデータベースＤＢに登録する。登録された予約情報は、店舗端末５０に表示された管理画面上で、確認や変更操作が行われる。
【００５８】
図６は、店舗端末５０における管理画面の画面表示例である。図６示す管理画面Ｗ３は、予約一覧を表示させた管理画面であり、予約一覧Ｗ３１と、速報表示Ｗ３２と、新着一覧表示部Ｗ３３と、総組数表示部Ｗ３４と、待ち時間表示部Ｗ３５と、を備えている。
【００５９】
予約一覧Ｗ３１には、個々の予約（予約Ｗ３１Ａ〜Ｗ３１Ｂ）の受付番号（案内番号）や、順番待ちの待ち時間、予約内容に関する詳細表示を行うための詳細表示ボタン、人数やユーザの名前（図示例における「お名前」）、電話番号（図示例における「お電話番号」）などの情報、変更手段４で予約情報のステータスを変更（「案内」「不在」「確認」）する為のボタン、等が表示されている。
【００６０】
速報表示Ｗ３２には、新たに予約を受け付けた新着予約について、所定の条件に該当する予約の件数が表示される。速報表示Ｗ３２は、管理画面Ｗ３として店舗端末５０に表示される複数の画面において表示される。本実施形態における速報表示Ｗ３２は、予約日時が当日であって、所定条件に該当する予約に関する件数と、予約日時が翌日以降であって、所定の条件に該当する予約に関する件数と、を表示している。
【００６１】
速報表示に表示される予約日時が当日予約の件数は、予約日時が当日であって、取り消し扱いとなっていない予約（以下、「有効な予約」と呼ぶ）と、取り消し扱いの予約と、のそれぞれの件数を含む。速報表示に表示される予約日時が翌日以降の予約の件数は、予約日時が翌日以降であって、有効な予約の件数を含む。速報表示の形態は、サービスの実施の形態に応じて、適善設定しても構わない。
【００６２】
総組数表示部Ｗ３４には、順番待ちを行っているユーザの総組数が表示され、待ち時間表示部Ｗ３５には、順番待ちの待ち時間が表示されている。
【００６３】
ユーザが当該店舗について、受付手段３を介して通常の順番待ち予約を行うと、予約情報が登録され、予約一覧Ｗ３１に表示される。また、ユーザが当該店舗について、受付手段３を介して順番待ちの時間指定予約を行うと予約情報が登録され、通常の順番待ち予約と共に、予約時間が近づいた順番待ちの時間指定予約が順番に追加され、合わせて予約一覧Ｗ３１に表示される。
【００６４】
スタッフ等により、新着一覧表示部Ｗ３３が選択されると、新着一覧を含む管理画面が表示される。また、新着一覧表示部Ｗ３３と並んで配置された他の部分を選択することで、予約の受け付け処理や案内済み予約の一覧表示等を行うための画面に移動することができる。
【００６５】
図７は、店舗端末５０における管理画面の画面表示例である。図７（ａ）は、予約日時が当日分の新着一覧を表示した管理画面の画面表示例である。予約日時が当日分の新着一覧を含む管理画面Ｗ３は、予約一覧を含む管理画面と同様に速報表示Ｗ３２を備え、さらに、予約日時が当日分の新着一覧Ｗ３６と、一覧切替部Ｗ３７と、を備えている。
【００６６】
本実施形態では、表示手段５は、予約日時が当日の予約情報を用いた表示処理及び、予約日時が翌日以降の予約情報を用いた表示処理を含む。具体的には、予約日時が当日の新着一覧及び予約日時が翌日以降の新着一覧を管理画面において表示するための表示処理と、予約日時が当日の予約の件数及び予約日時が翌日以降の予約の件数に関する速報表示を管理画面において表示するための表示処理を行う。
【００６７】
本実施形態における速報表示Ｗ３２は、予約日時が当日の予約の件数を、図示例における「本日利用希望（新規６件、キャンセル１件）」との形式で表示処理し、キャンセルされていない有効な予約（図示例における「新規６件」）と、キャンセルされた予約（図示例における「キャンセル１件」）と、を速報表示させている。また、予約日時が翌日以降の予約の件数を、図示例における「明日以降利用希望（新規１件）」との形式で表示処理し、キャンセルされていない有効な予約（図示例における「新規１件」）を速報表示させている。
【００６８】
また、予約一覧表示部Ｗ３８が選択されると、予約一覧Ｗ３１を含む管理画面に移動することができる。また、予約一覧表示部Ｗ３８と並んで配置された他の部分を選択することで、予約の受け付け処理や案内済み予約の一覧表示等を行うための画面に移動することができる。
【００６９】
新着一覧には、予約を受付日時順に並べた一覧である。予約日時が当日分の新着一覧Ｗ３６には、予約日時が当日であって、新たに予約を受け付けた新着の順番待ちの時間指定予約のうち、所定の条件に該当する予約が、一覧で表示されている。新着一覧には、個々の予約（予約Ｗ３６Ａ〜Ｗ３６Ｈ）の未読／既読（図示例における「未読」欄）や、受付日時、予約日時、その他、人数やユーザの名前（図示例における「お名前」）、電話番号（図示例における「お電話番号」）、ユーザの要望（図示例における「たばこ」）などの情報、変更手段４で予約情報のステータスを既読に変更する為のボタン（図示例における「確認」）、等が表示されている。
【００７０】
予約３６Ｇは、キャンセル（取り消し）扱いとなった予約である。変更手段４を介して、ユーザやスタッフなどにより、予約のキャンセル（取り消し）が行われるが、所定の条件に該当する場合、キャンセルされた予約も、有効な予約と共に新着一覧に表示される。
【００７１】
もし予約がキャンセルされた時に、あらゆる画面から予約の履歴が非表示になってしまうと、ユーザから「キャンセルできてますか？」など確認の連絡が来た場合に対応することができない。また、店舗のスタッフが電話や店頭で直接キャンセルの旨を受けた場合、その時間帯に勤務しているスタッフがキャンセル処理などの対応をするため、あるスタッフはキャンセルしたことを知っているが、別のスタッフはキャンセルの事実を知らないという状況になってしまう。キャンセルの履歴も一覧に表示させることでこういった事態を未然に防ぐことができる。
【００７２】
表示手段５は、予約Ｗ３６Ｇに示すように、新着一覧に含まれるキャンセル（取り消し）扱いの予約について、有効な予約（予約Ｗ３６Ａ〜Ｗ３６Ｆ、Ｗ３６Ｈ）と、異なる背景色を付する処理を行う。背景色以外に、アイコンを付するなど、種々の方法で、有効な予約及びキャンセルされた予約を、新着一覧上で識別可能に表示してかまわない。
【００７３】
また、スタッフが確認を行った予約は、既読フラグ（確認済みフラグ）が設定され、既読の扱いに設定される。図示例において、予約３６Ｈは、既読扱いの予約である。未読の予約については、未読欄が「未」と表示処理され、既読の予約については、未読欄が「―」と表示処理されている。スタッフが、図示例における「確認」を押下すると、変更手段４は、確認済みフラグ（既読フラグ）を予約情報に対して設定し、既読扱いの予約となる。スタッフ等により、一覧切替部Ｗ３７が選択されると、予約日時が翌日以降の新着一覧を含む管理画面が表示される。
【００７４】
図７（ｂ）は、予約日時が翌日以降の新着一覧を表示した管理画面の画面表示例である。予約日時が翌日以降の予約一覧を含む管理画面Ｗ３は、新着一覧や予約日時が当日の予約一覧を含む管理画面と同様に速報表示Ｗ３２を備え、予約日時が翌日以降の新着一覧Ｗ３９を備えている。
【００７５】
予約日時が翌日以降の新着一覧Ｗ３９には、予約日時が翌日以降であって、新たに予約を受け付けた新着の順番待ちの時間指定予約のうち、所定の条件に該当する予約が、一覧で表示されている。個々の予約（予約Ｗ３９Ａ〜Ｗ３９Ｃ）の未読／既読（図示例における「未読」欄）や、受付日時、予約日時、その他、人数やユーザの名前（図示例における「お名前」）、電話番号（図示例における「お電話番号」）、変更手段４で予約情報のステータスを既読に変更する為のボタン（図示例における「確認」）、等が表示されている。また、予約３９Ｂ、３９Ｃは、既読扱いの予約である。
【００７６】
図８は、本実施形態における新着一覧及び速報表示の表示条件を示す図である。図８（ａ）は、新着一覧における予約の表示条件を示す図である。本実施形態では、新着一覧に並べられた取り消し扱いとなった予約は、有効な予約と識別可能に表示され、有効な予約と共に受付日時順に連続して並べられた、予約日時が当日の取り消し扱いとなった予約のみからなる。
【００７７】
図８（ａ）に示すように、予約日時が当日の新着一覧は、予約日時が当日で、既読または未読であり、有効な予約及びキャンセル（取り消し）扱いの予約からなる。予約日時が翌日以降の新着一覧は、予約日時が翌日以降で、既読または未読であり、有効な予約からなる。ここで、予約日時が翌日以降の新着一覧に含まれる既読設定がされた有効な予約は、受付日時が当日のものからなる。
【００７８】
図８（ｂ）は、速報表示における予約件数の表示条件を示す図である。本実施形態では、速報表示は、予約日時が当日であって、有効な予約についての合計の件数と、予約日時が翌日以降であって、有効な予約についての件数と、取り消し扱いとなった予約についての件数と、を含む。
【００７９】
本実施形態において、速報表示に表示される取り消し扱いとなった予約の件数は、予約日時が当日であって、確認済みフラグ（既読フラグ）が設定されていない予約のみからなる。速報表示に表示される有効な予約の件数は、予約日時が当日の速報表示は、予約日時が当日であって、未読の、有効な予約の合計件数である。予約日時が翌日以降の速報表示は、予約日時が翌日以降であって、未読の、有効な予約の合計件数である。
【００８０】
図９を用いて、本実施形態における新着一覧の表示条件について説明する。図９は、新着一覧の表示条件に関するフローチャートである。
【００８１】
ステップＳ１１において、予約情報の予約日時が当日の場合、ステップＳ１２に進み、当該予約情報は、予約日時が当日の新着一覧に表示処理される。予約情報の予約日時が翌日以降の場合、ステップＳ１３に進む。
【００８２】
予約日時が翌日以降の予約に関して、ステップＳ１３において、予約情報が有効な予約の場合（ステップＳ１３でＹｅｓ（Ｙ））、ステップＳ１４に進む。予約情報がキャンセル（取り消し）扱い予約の場合（ステップＳ１３でＮｏ（Ｎ）））、当該予約に関する情報は、新着一覧に表示処理されない。
【００８３】
予約日時が翌日以降の予約に関して、ステップＳ１４において、予約情報の受付日時が当日の予約の場合（ステップＳ１４でＹｅｓ（Ｙ））、ステップＳ１５に進み、当該予約情報は、予約日時が翌日以降の新着一覧に表示処理される。予約情報の受付日時が当日ではない予約の場合（ステップＳ１４でＮｏ（Ｎ））、当該予約に関する情報は、新着一覧に表示処理されない。
【００８４】
図１０を用いて、本実施形態における速報表示の表示条件について説明する。図１０は、速報表示の表示条件に関するフローチャートである。
【００８５】
ステップＳ２１において、予約情報の予約日時が当日の場合、ステップＳ２２に進む。予約情報の予約日時が翌日以降の場合、ステップＳ２６に進む。
【００８６】
予約日時が当日の予約に関しては、ステップＳ２２において、予約情報が有効な予約の場合（ステップＳ２２でＹｅｓ（Ｙ））、既読の予約並びに未読の予約の件数が合算され、速報表示として表示される有効な予約の件数が算出される（ステップＳ２３）。
【００８７】
予約情報がキャンセル（取り消し）扱いの予約の場合（ステップＳ２２でＮｏ（Ｎ））、未読の予約の件数に基づいて、速報表示として表示されるキャンセル（取り消し）扱いの予約の件数が算出される（ステップＳ２４）。ここで、既読の予約に関する予約情報は、速報表示に表示される予約日時が当日の予約に関する予約件数の算出に利用されない。
【００８８】
これら予約日時が当日であって、有効な予約の件数及びキャンセル（取り消し）扱いの予約の件数が、速報表示に含まれる予約日時が当日予約に関する情報として表示処理される（ステップＳ２５）。
【００８９】
予約日時が翌日以降の予約に関しては、ステップＳ２６において、予約情報が有効な予約の場合（ステップＳ２６でＹｅｓ（Ｙ））、ステップＳ２７に進む。予約情報がキャンセル（取り消し）扱い予約の場合（ステップＳ２６でＮｏ（Ｎ））、当該予約情報は、速報表示に表示される予約日時が翌日以降の予約に関する予約件数の算出に利用されない。
【００９０】
ステップＳ２７において、既読の（確認済みフラグが設定された）予約の場合（ステップＳ２７でＮｏ（Ｎ））、当該予約情報は、速報表示に表示される予約日時が翌日以降の予約に関する予約件数の算出に利用されない。
【００９１】
未読の（確認フラグが設定されていない）予約の場合（ステップＳ２７でＹｅｓ（Ｙ））、ステップＳ２８に進み、未読の予約の件数が合算され、速報表示として表示される有効な予約の件数が算出される（ステップＳ２８）。
【００９２】
本発明によれば、予約日時が当日の予約と、予約日時が翌日以降の予約情報と、を用いた表示処理を行うことができ、時間指定を伴った順番待ち予約を、より効率的に運用することが可能となる。
【００９３】
予約日時が当日の予約について、受付日順に予約を並べた新着一覧及び、予約日時が翌日以降の予約について、受付日順に予約を並べた新着一覧について表示処理を行うことができ、時間指定を伴った順番待ち予約を、より効率的に運用することが可能となる。また、取り消し扱いとなった予約（キャンセルされた予約）についても、受付日時順に表示された新着一覧に含め、キャンセル扱いとなっていない予約と共に並べて確認することが可能となる。
【００９４】
取り消し扱いとなった予約の速報表示を、予約日時が当日のものに制限し、より見やすい形で提供することができる。また、予約日時が翌日以降であって、有効な予約の速報表示を、より見やすい形で提供することができる。
【符号の説明】
【００９５】
１  予約システム
２  予約サーバ
２０１  ＣＰＵ
２０２  ＲＡＭ
２０３  記録装置
２０４  通信装置
２０５  入力装置
２０６  出力装置
２０７  ＯＳ
２０８  予約プログラム
３  受付手段
４  変更手段
５  表示手段
２０  受付端末
２１  入力部
３０  プリンタ
３１  発券部
４０  ユーザ端末
４１  入力部
５０  店舗端末
５１  入力部
ＤＢ  データベース
ＮＷ  ネットワーク
Ｗ１  受付画面
Ｗ１１  受付ボタン
Ｗ１２  待ち項目表示部
Ｗ２  受付画面
Ｗ２１  待ち情報表示部
Ｗ２２  予約ボタン
Ｗ２３  予約ボタン
Ｗ２４  内容入力部
Ｗ２５  進むボタン
Ｗ３  管理画面
Ｗ３１  予約一覧
Ｗ３１Ａ〜Ｗ３１Ｂ  予約
Ｗ３２  速報表示
Ｗ３３  新着一覧表示部
Ｗ３４  総組数表示部
Ｗ３５  待ち時間表示部
Ｗ３６  新着一覧
Ｗ３６Ａ〜Ｗ３６Ｈ  予約
Ｗ３７  一覧切替部
Ｗ３８  予約一覧表示部
Ｗ３９  新着一覧
Ｗ３９Ａ〜Ｗ３９Ｃ  予約
【図１】
2019102051.tif 000003
【図２】
2019102051.tif 000004
【図３】
2019102051.tif 000005
【図４】
2019102051.tif 000006
【図５】
2019102051.tif 000007
【図６】
2019102051.tif 000008
【図７】
2019102051.tif 000009
【図８】
2019102051.tif 000010
【図９】
2019102051.tif 000011
【図１０】
2019102051.tif 000012